(57)【特許請求の範囲】
【請求項１】
軸筒の先端から出没するリフィールと、
前記リフィールの後端に前端が連結されると共に、前記軸筒に設けられたガイド溝に沿って、前記軸筒の中心軸線方向にスライド自在なノック部材と、
前記ノック部材にバネを介して連結された開閉自在なクリップと、
一端が前記軸筒に係止されると共に、他端が前記ノック部材に係止されて、前記ノック部材を復帰させる螺旋バネと、
前記ガイド溝の後端で前記中心軸線方向に延在する支持部と、
前記ノック部材の後端に設けられて、前記支持部が入り込むスリットと、を備えた筆記具において、
前記支持部には、前記スリット内に挿入可能な抜き差し領域内において、前記スリットを形成する壁面に接触する接触部と、前記接触部より一段低くして前記スリットの前記壁面に接触しない非接触部とが設けられていることを特徴とする筆記具。
【発明の詳細な説明】
【技術分野】
【０００１】
本発明は、バネ力を伴った開閉操作が可能なクリップを備えた筆記具に関するものである。
【背景技術】
【０００２】
従来、このような分野の技術として、特開２００５−１１１８７６号公報がある。この公報に記載された筆記具は、任意のノック部材(押子)を押し下げることによって、所望のリフィールの先端を軸筒の先端から突出させることができ、他のノック部材を軽く押し下げることによって、軸筒内にリフィールの先端をバネ力により素早く格納することができる。また、この筆記具は、シャープペンシル型のリフィールを有し、このリフィールの後端にノック部材(押子)の先端が圧入され、このノック部材には、略Ｕ字状の板バネを介して開閉自在なクリップが取り付けられている。さらに、軸筒には、ガイド溝の後端で中心軸線方向に延在する支持部が設けられ、ノック部材の後端には、支持部が入り込むスリットが設けられている。そして、クリップを開く際に、指でクリップの後端をバネ力に抗して強く押すので、この力は、ノック部材のスリット内に差し込まれている支持部でも支持される。
【０００３】
【特許文献１】特開２００５−１１１８７６号公報
【発明の開示】
【発明が解決しようとする課題】
【０００４】
このような筆記具のクリップは、螺旋バネの付勢力によって軸線方向に素早く戻すことができるが、螺旋バネのバネ力を強くすると、ノック部材が完全に戻ったときにノック部材が軸筒に当たることによって生じる衝撃、いわゆるバックショックが大きくなる。しかしながら、バックショックを小さくするためにバネ力を弱くするとバックショックの低減は達成されるが、支持部が経時変化によって多少変形すると、クリップが戻ったときに、ノック部材のスリット内に支持部が入り難くなり、クリップを完全に元の位置まで復帰させることができない場合がある。
【０００５】
本発明は、ノック部材の後端に設けられスリット内に、軸筒に設けられた支持部を確実に挿入させるようにした筆記具を提供することを目的とする。
【課題を解決するための手段】
【０００６】
本発明に係る筆記具は、軸筒の先端から出没するリフィールと、リフィールの後端に前端が連結されると共に、軸筒に設けられたガイド溝に沿って、軸筒の中心軸線方向にスライド自在なノック部材と、ノック部材にバネを介して連結された開閉自在なクリップと、一端が軸筒に係止されると共に、他端がノック部材に係止されて、ノック部材を復帰させる螺旋バネと、ガイド溝の後端で中心軸線方向に延在する支持部と、ノック部材の後端に設けられて、支持部が入り込むスリットと、を備えた筆記具において、
支持部には、スリット内に挿入可能な抜き差し領域内において、スリットを形成する壁面に接触する接触部と、接触部より一段低くしてスリットの壁面に接触しない非接触部とが設けられていることを特徴とする。
【０００７】
この筆記具に利用されるクリップは、バネ力を伴った開閉操作が可能であり、クリップにバネを介して連結されたノック部材の後端には、支持部が入り込むスリットが設けられ、この支持部には、スリット内に入り込む抜き差し領域内において、スリットを形成する壁面に接触する接触部と、接触部より一段低くしてスリットの壁面に接触しない非接触部とが設けられている。このような支持部の採用によって、スリットの壁面に対する支持部の接触が限定され、ノック部材に対する支持部の接触面積を減らすことができる。これによって、ノック部材が戻る際の抵抗を軽減させることができ、支持部が経時変化によって多少変形しても、ノック部材のスリット内に支持部が入り易くなり、バックショック低減のために螺旋バネのバネ力を弱く設計しても、クリップを確実に且つスムーズに元の位置まで復帰させることができる。
【発明の効果】
【０００８】
本発明によれば、ノック部材の後端に設けられスリット内に、軸筒に設けられた支持部を確実に挿入させることができる。
【発明を実施するための最良の形態】
【０００９】
以下、図面を参照しつつ本発明に係る筆記具の好適な実施形態について詳細に説明する。なお、ペン先側を「前方側」として以下説明する。
【００１０】
図１及び図２に示されるように、多芯筆記具１は、４色のノック式筆記具である。このノック式多芯筆記具１は、４本のボールペン型のリフィール２と、各リフィール２を収容する樹脂製の軸筒４と、軸筒４の中心軸線Ｌ方向にスライド自在な３本の第1のノック部材６と、軸筒４の中心軸線Ｌ方向にスライド自在な第２のノック部材７に取り付けられた開閉式クリップ８と、軸筒４に固定された滑り止め用のグリップ９とを備えている。
【００１１】
軸筒４は、前軸４ａと後軸４ｂとからなり、前軸４ａの後側に設けられた雄ネジ部と後軸４ｂの前側に設けられた雌ネジ部との螺合によって、前軸４ａと後軸４ｂは連結されている。このように、軸筒４を前軸４ａと後軸４ｂとに二分割することで、前軸４ａを外してリフィール２を容易に交換することができ、前軸４ａと後軸４ｂの材質を異ならせることもできる。
【００１２】
扁平で細長い形状を有する第１のノック部材６の外側には、指掛け部６ａが形成され、第１のノック部材６の内側（中心軸線Ｌ側）には、略中央から後端に向かって延在するガイド片６ｂが形成されている。そして、このガイド片６ｂの直線的な遊端には、断面三角形状の前側突起６ｃ及び後側突起６ｄが並設されている。また、第２のノック部材７も同様に、ガイド片７ｂ、前側突起７ｃ及び後側突起７ｄが設けられている(図３及び図４参照)。
【００１３】
さらに、軸筒４の後部には４本のガイド溝１０が形成され、４本のガイド溝１０のうちの３本のガイド溝１０ａに沿って樹脂製の第１のノック部材６のガイド片６ｂが摺動し、各ノック部材６の先端に形成された鏃状のリフィール装填部６ｅは、リフィール２の後端の開口に圧入されている。また、他のガイド溝１０ｂに沿って樹脂製の第２のノック部材７のガイド片７ｂが摺動し、第２のノック部材７には、Ｕ字状の板バネ１２を介してクリップ８が連結され、第２のノック部材７の先端に形成された鏃状のリフィール装填部７ｅは、リフィール２の後端の開口に圧入されている。
【００１４】
さらに、軸筒４内には、第１及び第２のノック部材６，７を復帰させるための４本の螺旋バネ１５が収容され、リフィール２は螺旋バネ１５内に差し込まれている。そして、第１及び第２のノック部材６，７に復帰力を発生させるために、螺旋バネ１５の一端は軸筒４で係止され、螺旋バネ１５の他端は第１及び第２のノック部材６，７の先端に係止されている。
【００１５】
このような構成の多芯筆記具１では、第１のノック部材６及びクリップ８の何れかを指で押し下げることによって、軸筒４の先端開口４ｄから任意のリフィール２の先端を突出させることができる。そして、軸筒４から選択的に突出させたリフィール２の先端は、他のノック部材６又はクリップ８を指で軽く押し下げることにより軸筒４内に格納することができる。
【００１６】
筆記具１を使用するにあたって、クリップ８を押し下げると、第２のノック部材７は、軸筒４の中心軸線Ｌ方向に沿って移動する。このとき、第２のノック部材７の後端部に設けられた係合部（図示しない）と、ガイド溝１０に設けられた図示しない係合受部とが係合し、第２のノック部材７が係止され、筆記可能状態となる（図１参照）。この筆記可能状態の解除は、第１のノック部材６の何れかを軽く押し下げることにより行われる。
【００１７】
また、第１及び第２のノック部材６，７は、後軸４ｂに設けられた摺動面４ｃによって支持されているので、第１のノック部材６の指掛け部６ａ及びクリップ８を指で押しても、軸筒４内にノック部材６，７が落ち込むことが無い(図２参照)。
【００１８】
しかしながら、図３〜図５に示されるように、クリップ８は、Ｕ字状の板バネ１２を介して樹脂製の第２のノック部材７に連結され、クリップ８を開操作する時に、クリップ８の基端８ａを指で強く押さえると、この力は第２のノック部材７に印加される。従って、クリップ８の開操作時の負荷に耐えるために、第２のノック部材７は確実に支持される必要がある。
【００１９】
そこで、ガイド溝１０ｂの後端には、後軸４ｂと一体成形された支持部２０が設けられ、この支持部２０は、軸筒４の中心軸線Ｌ方向に延在する。この支持部２０は、クリップ８が螺旋バネ１５のバネ力により復帰する際に、第２のノック部材７の後端に設けられたスリット２１内に確実に入り込む必要がある。
【００２０】
しかしながら、第２のノック部材７の復帰を確実にするために、螺旋バネ１５のバネ力を強くすると、第２のノック部材７が復帰するとき、第２のノック部材７が軸筒４に当たることによって生じる衝撃、いわゆるバックショックが大きくなる。また、螺旋バネ１５のバネ力を弱くするとバックショックを小さくすることができるが、支持部２０が経時変化によって多少変形すると、クリップ８が螺旋バネ１５の付勢力によって復帰した際に、第２のノック部材７のスリット２１内に支持部２０が入り難くなり、クリップ８を完全に元の位置まで復帰させることができない事態が起こり得る。
【００２１】
そこで、支持部２０には、スリット２１内に挿入可能な抜き差し領域Ｓ内において、スリット２１を形成するコ字状の壁面２１ａに接触する平坦な接触部２０Ａと、接触部２０Ａより一段低くしてスリット２１の壁面２１ａに接触しない平坦な非接触部２０Ｂとが設けられている。この接触部２０Ａは、ガイド溝１０ｂの後端に隣接し、非接触部２０Ｂは、接触部２０Ａの後端に隣接して、接触部２０Ａより一段低くなっている。
【００２２】
このような支持部２０の採用によって、スリット２１の壁面２１ａに対する支持部２０の接触が限定され、第２のノック部材７に対する支持部２０の接触面積を減らすことができる。これによって、第２のノック部材７が戻る際の抵抗を軽減させることができ、支持部２０が経時変化によって多少変形しても、第２のノック部材７のスリット２１内に支持部２０が入り易くなり、バックショック低減のために螺旋バネ１５のバネ力を弱く設計しても、クリップ８を確実に且つスムーズに元の位置まで復帰させることができる。
【００２３】
さらに、非接触部２０Ｂは、接触部２０Ａより一段低くなっているので、第２のノック部材７のスライド時に、スリット２１の壁面２１ａに接触することがない。従って、この非接触部２０Ｂの表面に凸状のキャビナンバーＮを形成させることができる。このキャビナンバーＮは、クリップ８をスライドさせることで容易に視認することができる。
【００２４】
本発明は、前述した実施形態に限定されないことは言うまでもない。例えば、接触部２０Ａ及び非接触部２０Ｂを有する支持部２０とスリット２１との関係は、第１のノック部材６に適用されてもよい。
【図面の簡単な説明】
【００２５】
【図１】本発明に係る筆記具の一実施形態を示す断面図である。
【図２】図１のＩＩ−ＩＩ線に沿う断面図である。
【図３】図１に示された筆記具の要部拡大断面図である。
【図４】図１に示された筆記具の要部拡大斜視図である。
【図５】軸筒の要部拡大斜視図である。
【符号の説明】
【００２６】
１…筆記具、２…リフィール、４…軸筒、６…第１のノック部材、７…第２のノック部材、８…クリップ、１０ａ，１０ｂ…ガイド溝、１２…板バネ、１５…螺旋バネ、２０…支持部、２０Ａ…接触部、２０Ｂ…非接触部、２１…スリット、２１ａ…壁面、Ｌ…中心軸線、Ｎ…キャビナンバー、Ｓ…抜き差し領域。
【図１】
0004989380.tif 000002
【図２】
0004989380.tif 000003
【図３】
0004989380.tif 000004
【図４】
0004989380.tif 000005
【図５】
0004989380.tif 000006